(57)【要約】安全停止及び減圧停止深度の深度表示をデジタル表示のみならずグラフ表示することで、ダイバーに、より簡単な深度維持を促すことができる安全なダイバーズウォッチを提供するものであり、少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータであって、前記表示手段は、少なくとも、ダイバーの現在時点での深度を表示するための第１の表示機能と、安全動作を教示する情報をグラフ表示するための第２の表示機能とを有するダイビングコンピュータである。
2002076820.tif 000002
【特許請求の範囲】
【請求項１】
少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータであって、前記表示手段は、少なくとも、ダイバーの現在時点での深度を表示するための第１の表示機能と、安全動作を教示する情報をグラフ表示するための第２の表示機能とを有することを特徴とするダイビングコンピュータ。
【請求項２】
当該表示手段は、当該第１の機能にかかる情報と第２の機能にかかる情報とを同時に又は、個別に選択的に表示する表示領域を有している事を特徴とする請求範囲第１項に記載のダイビングコンピュータ。
【請求項３】
当該表示領域は、当該第１の機能にかかる情報と第２の機能にかかる情報を、任意に選択的に表示するように構成されている事を特徴とする請求範囲第２項に記載のダイビングコンピュータ。
【請求項４】
当該表示領域は、当該第１の機能にかかる情報を表示する第１の領域と第２の機能にかかる情報を表示する第２の領域とに分割されている事を特徴とする請求範囲第２項に記載のダイビングコンピュータ。
【請求項５】
当該安全動作を教示する情報は、安全停止情報又は減圧停止情報の何れかである事を特徴とする請求範囲第１項乃至第４項の何れかに記載のダイビングコンピュータ．
【請求項６】
当該表示手段に於ける当該第２の表示機能は、潜水中において有効となるように構成されている事を特徴とする請求範囲第１項乃至第５項の何れかに記載のダイビングコンピュータ。
【請求項７】
当該グラフ表示手段は、当該演算手段により算定された停止深度を基準線として表示する事を特徴とする請求範囲第１項乃至第６項の何れかに記載のダイビングコンピュータ．
【請求項８】
当該グラフ表示手段は、当該基準線に対して、ダイバーの過去から現時点までの深度ドンの変化を時系列的に連続した実線、点線、ドット表示、或いは棒グラフ等を使用して表示する様に構成されている事を特徴とする請求範囲第１項乃至第７項の何れかに記載のダイビングコンピュータ。
【請求項９】
当該基準線の少なくとも一方の側に、当該基準線と所定の間隔を有して当該基準線と平行に許容線を表示する様に構成されている事を特徴とする請求範囲第１項乃至第８項の何れかに記載のダイビングコンピュータ。
【請求項１０】
当該許容線は、当該基準線と異なる色で表示される事を特徴とする請求範囲第９項に記載のダイビングコンピュータ。
【請求項１１】
当該ダイバーの現在及び過去に於ける当該深度が当該基準線と当該少なくとも一方の許容線との間の許容範囲を超えた場合には、当該グラフ線を通常のグラフ線の色とは異なる色で表示する事を特徴とする請求範囲第８項または第９項に記載のダイビングコンピュータ。
【請求項１２】
前記停止深度とは、安全停止深度または減圧停止深度のいずれか一方である事を特徴とする請求項１乃至１１の何れかに記載のダイビングコンピュータ．
【請求項１３】
前記グラフ表示手段は、深度表示の後に、所定の深度と現在の深度を比較し、安全停止が必要な場合には安全停止グラフ表示モードに設定される事を特徴とする
【請求項１４】
前記グラフ表示手段は、深度表示の後に、所定の深度と現在の深度を比較し、減圧停止が必要な場合には減圧停止グラフ表示モードに設定される事を特徴とする請求範囲第１項乃至第１２項の何れかに記載のダイビングコンピュータ．
【請求項１５】
当該グラフ表示手段は、当該グラフ表示手段が安全停止グラフ表示モードに有る場合には、当該基準線を含む当該ダイバーの現在及び過去の深度を示すグラフを表示すると同時に、当該ダイバーの現在の深度情報、潜水時間情報、無限圧限界時間情報、及び安全停止深度に留まっていなければならない時間の情報から選択された少なくとも一つの情報をデジタル形式で表示する様に構成されている事を特徴とする請求範囲第１項乃至第１４項の何れかに記載のダイビングコンピュータ。
【請求項１６】
当該グラフ表示手段は、当該グラフ表示手段が減圧停止グラフ表示モードに有る場合には、当該基準線を含む当該ダイバーの現在及び過去の深度を示すグラフを表示すると同時に、当該ダイバーの現在の深度情報、潜水時間、減圧停止深度情報、及び減圧停止深度に留まっていなければならない時間の情報から選択された少なくとも一つの情報をデジタル形式で表示する様に構成されている事を特徴とする請求範囲第１項乃至第１４項の何れかに記載のダイビングコンピュータ。
【請求項１７】
少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータに於いて、
当該深度情報からスキンダイビング深度を表示する工程、
当該スキンダイビング深度表示後、当該時間情報からスキューバダイビング深度を表示する工程、
スキューバダイビング深度表示後、予め定められた潜水時間情報と潜水深度情報から、減圧潜水か否かを判断する工程、
減圧潜水でない場合には、当該ダイバーの現在の潜水深度が予め定められた所定の深度値以上であるか否かを判断する工程、
当該ダイバーの現在の潜水深度が、予め定められた所定の深度値以上である場合には、安全停止情報を示すために、当該表示手段の一部の領域に、当該所定の深度値を基準線とする安全停止情報を示す安全停止グラフを表示する工程、
当該安全停止グラフが表示された後に、当該ダイバーの現在の深度情報が、当該基準線に対して、予め定められた所定の許容範囲を示す深度内にいるか否かを判断し、当該許容範囲内に当該ダイバーがいる場合には、当該安全停止グラフ表示が継続され、当該許容範囲内に当該ダイバーがいない場合には、当該ダイバーの潜水が、減圧潜水か否かを判断する工程に戻る工程
当該減圧潜水か否かを判断する工程に於いて、当該ダイバーの現在の潜水深度が、予め定められた所定の減圧深度値である場合には、減圧停止情報を示すために、当該表示手段の一部の領域に、当該所定の減圧深度値を基準線とする減圧停止情報を示す減圧停止グラフを表示する工程、
当該ダイバーの現在の深度と予め定められた所定の減圧指示深度とを比較する工程、
当該減圧停止グラフが表示された後に、当該ダイバーの現在の深度情報が、当該基準線に対して、予め定められた所定の許容範囲を示す深度内にいるか否かを判断する工程、
当該許容範囲内に当該ダイバーがいる場合には、当該ダイバーが、当該減圧指示時間を経過したか否かを判断する工程、
当該ダイバーの潜水時間が、当該減圧指示時間を経過した場合には、当該ダイバーの潜水が、減圧潜水か否かを判断する工程に戻る工程、
とから構成されている事を特徴とするダイビングコンピュータの操作方法。
【請求項１８】
少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータに於いて、
当該深度情報からスキンダイビング深度を表示する工程、
当該スキンダイビング深度表示後、当該時間情報からスキューバダイビング深度を表示する工程、
スキューバダイビング深度表示後、予め定められた潜水時間情報と潜水深度情報から、減圧潜水か否かを判断する工程、
減圧潜水でない場合には、当該ダイバーの現在の潜水深度が予め定められた所定の深度値以上であるか否かを判断する工程、
当該ダイバーの現在の潜水深度が、予め定められた所定の深度値以上である場合には、安全停止情報を示すために、当該表示手段の一部の領域に、当該所定の深度値を基準線とする安全停止情報を示す安全停止グラフを表示する工程、
当該安全停止グラフが表示された後に、当該ダイバーの現在の深度情報が、当該基準線に対して、予め定められた所定の許容範囲を示す深度内にいるか否かを判断し、当該許容範囲内に当該ダイバーがいる場合には、当該安全停止グラフ表示が継続され、当該許容範囲内に当該ダイバーがいない場合には、当該ダイバーの潜水が、減圧潜水か否かを判断する工程に戻る工程
当該減圧潜水か否かを判断する工程に於いて、当該ダイバーの現在の潜水深度が、予め定められた所定の減圧深度値である場合には、減圧停止情報を示すために、当該表示手段の一部の領域に、当該所定の減圧深度値を基準線とする減圧停止情報を示す減圧停止グラフを表示する工程、
当該ダイバーの現在の深度と予め定められた所定の減圧指示深度とを比較する工程、
当該減圧停止グラフが表示された後に、当該ダイバーの現在の深度情報が、当該基準線に対して、予め定められた所定の許容範囲を示す深度内にいるか否かを判断する工程、
当該許容範囲内に当該ダイバーがいる場合には、当該ダイバーが、当該減圧指示時間を経過したか否かを判断する工程、
当該ダイバーの潜水時間が、当該減圧指示時間を経過した場合には、当該ダイバーの潜水が、減圧潜水か否かを判断する工程に戻る工程、
とから構成されているダイビングコンピュータの操作方法をコンピュータに実行させるためのプログラム。
【発明の詳細な説明】
技術分野
本発明はダイバーズウォッチ、特に潜水データとしての時刻、深度、及び水温データを計測記憶可能な時計に関するものであり、特に詳しくは、安全停止情報或いは減圧停止情報をグラフ表示させることが出来るダイブコンピュータに関する。
背景技術
潜水中の深度、潜水時間、水温等を計測してそれらを表示させたり、潜水後それらのデータを読み出して見ることができる、スキューバダイビング、およびスキンダイビング用の時計（ダイバーズウォッチ）は、ダイビングが普及し始めた２０年ほど前から技術開発が進んできた。さらに１０年ほど前からは、スキューバダイビングで問題となる体内窒素量を逐次計算し、あと何分潜っていて良いかなどダイバーにとって重要なデータを計算表示するダイブコンピュータの普及がめざましい。
ダイブコンピュータの例として、例えば特開平５−１４１９７３では、図９のようなアルゴリズムに基づいて、浮上時における人体の各組織内不活性ガス分圧の安全許容限界量に対する割合を知ることができる。図９を用いて、特開平５−１４１９７３について説明する。
潜水が開始されると（ステップＳ４）、水圧を検出して水深を算出し（ステップＳ６、Ｓ７）、算出した水深に基づいて体内窒素分圧を算出する（ステップＳ８）。この体内窒素分圧とＲＯＭに記憶されている安全許容限界量との比と算出し（ステップＳ９）、体内窒素分圧が安全許容限界量以下の時には、無減圧潜水時間を算出して（ステップＳ１０、Ｓ１１）、水深等とともに体内窒素分圧と安全許容限界量との比を表示出力する（ステップ１２）。また、ステップＳ１０で、体内窒素分圧が安全許容限界量を超えるときには、減圧停止水深や減圧停止時間を算出して、それらとともに体内窒素分圧と安全許容限界量との比を表示出力する（ステップＳ１３〜ステップＳ１４）。
スキューバダイバーは、水中で上記特開平５−１４１９７３のようなダイブコンピュータが算出する値に従って深度を決めて潜水を行うが、コンピュータの指示範囲においても体内に窒素が蓄積されているため、これら窒素を放出させるため、浮上時一定の深度で一定時間安全停止を行うことが推奨されている。また、減圧潜水に移行した場合は、コンピュータの指示する一定の深度で一定時間とどまって、窒素を放出しなければならない。このように水中で一定時間所定の深度を保たなければならないとき、従来はコンピュータのデジタル深度表示を見ておこなっていた。
本発明では、安全停止及び減圧停止深度の深度表示をデジタル表示のみならずグラフ表示することで、ダイバーに、より簡単な深度維持を促すことができる。
本発明により、ダイバーにとってより簡単な深度維持を促すことで、安全なダイバーズウォッチを提供できる。
発明の開示
従来の課題を解決するために、本発明では、ダイブコンピュータが所定の深度を計測すると、自動的に表示を切り替えて深度グラフ表示を行う。
ダイバーが所定の時間とどまっていなければならない深度での深度表示をグラフ表示することで、深度を維持しやすく、またその深度での停止の必要性をダイバーに促すことができる。
つまり、本発明に於ける当該ダイビングコンピュータ具体的な態様の基本的な構成としては、以下の様な技術構成を採用するものである。
即ち、少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータであって、前記表示手段は、少なくとも、ダイバーの現在時点での深度を表示するための第１の表示機能と、安全動作を教示する情報をグラフ表示するための第２の表示機能とを有するダイビングコンピュータである。
発明を実施するための最良の形態
以下に、本発明に於けるダイビングコンピュータの具体的な構成を、図面を参照しながら詳細に説明する。
即ち、図１、本発明にかかるダイビングコンピュータの一具体例の構成図であり、図中、少なくとも潜水時間を計時する計時手段２と、潜水情報を計測する潜水情報計測手段３と、当該計時手段２若しくは潜水情報計測手段３から得られた潜水情報を処理する演算手段４と、当該演算手段４で得られた潜水情報を表示するための表示手段５及び、上記の各手段の動作を総合的に管理制御する中央演算制御手段２１を有するダイビングコンピュータ１であって、前記表示手段５は、少なくとも、ダイバーの現在時点での深度を表示するための第１の表示機能５１と、安全動作を教示する情報をグラフ表示するための第２の表示機能５２とを有するダイビングコンピュータ１が示されている。
本発明に於ける当該表示手段５は、当該第１の機能５１にかかる情報と第２の機能５２にかかる情報とを同時に又は、個別に選択的に表示する所定の表示領域５３を有している事が好ましい。
更に、本発明に於いては、当該表示領域５３は、図１（Ａ）に示す様に、当該第１の機能５１にかかる情報と第２の機能５２にかかる情報を、単一の表示領域５３内に任意に選択的に表示するように構成されているもので有ってもよく、又、図１（Ｂ）に示す様に、当該表示領域５３は、当該第１の機能５１にかかる情報を表示する第１の領域５３−１と第２の機能５２にかかる情報を表示する第２の領域５３−２とに分割されているもので有っても良い。
又、本発明に於ける当該安全動作を教示する情報は、安全停止情報又は減圧停止情報の何れかである事が望ましく、当該第１の機能５１としては、例えば、ダイバーの現在時点での深度情報の他、潜水時間、無減圧限界時間、最大潜水深度、現在の時刻等の情報の少なくとも何れかをデジタル情報として表示するものであり、当該第２の機能５２としては、例えば、当該安全停止情報或いは当該減圧停止情報の何れかを表示する機能である事が望ましい。
一方、本発明に於ける当該ダイビングコンピュータ１に於いては、当該表示手段５に於ける当該第２の機能５２の情報を表示する第２の機能表示手段５３−２は、スキューバダイビングモードに於いて有効となるように構成されている事が望ましい。
ここで、本発明に於ける安全停止とは、無減圧潜水で、ダイビングの終盤、体内に蓄積された窒素等の不活性ガスを放出するために、浅い深度で一定時間とどまること事を言う。
通常その深度は５ｍである。安全停止している間は、まわりに岩場や砂地があれば、景観や魚を見たりして楽しむことができるが、全く何もみえない海中に漂ってひたすら時間が過ぎるのを待ち、且つ自分の深度を保ち続けるのは退屈である。
通常、５ｍで、３分間停止するものである。
又、減圧潜水では、潜水を終了して、水面に浮上する時に、必ず決められた深度で、決められた時間、留まらなければならない。これを減圧停止と言う。
この減圧停止深度は、そのダイビングがどのようなダイビングであったかによって、残留不活性ガス演算アルゴリズムによって決るが、例えば、ＤＣＩＥＭアルゴリズムでは、３ｍから始まって、３ｍ毎に停止深度が決定される。
この様に、ダイバーの退屈な時間に、上記の安全動作に関する情報をグラフ化して表示する事によって、ダイバーは、自己の深度の調整をグラフを見ながら行うことが出来るので、楽しみながら時間を過ごすことが可能となる。
ここで、本発明にかかるダイビングコンピュータ１の具体例を図２に示すシステムブロック図を参照しながらその構成と動作原理を説明する。
本発明によるダイブコンピュータは、バス２４を経由して相互に接続された計時手段２，記憶手段２５と、表示手段５であるＬＣＤパネル及びこれを制御するＬＣＤコントローラ２６と、各種潜水情報を入力するための計測手段３および、各種の情報を基に所定の情報を演算して出力する演算手段４、外部より機能等を選択するための入力手段であるＤＩ（ＤＥＧＩＴＡＬ  ＩＮＰＵＴ）２２と、外部コンピュータ等と通信を行う通信手段２３、及び、上記した各手段の動作を総合的に管理制御するＣＰＵ（Ｃｅｎｔｒａｌ  Ｐｒｏｃｅｓｓｉｎｇ  Ｕｎｉｔ）２１とから構成されている。
更には、当該バス２４に接続された、体内に蓄積されている不活性ガス分圧を演算する不活性ガス分圧演算手段５５及び当該不活性ガス分圧演算手段５５によって演算された不活性ガス分圧値を、前記した記憶手段２５に予め記憶されている基準不活性ガス分圧値とを比較する不活性ガス分圧値比較手段５６等が設けられている事も望ましい。
本発明に於ける当該計時手段２は、発振回路、分周回路、計数回路などから構成され、発振回路から発生する一定周波数のクロック信号を分周回路で分周し、時計用の基準クロック信号を生成する。計数回路は、分周回路から入力される基準クロック信号により、現在時刻や潜水開始時からの経過時間等を計時してＣＰＵ２１に出力する。
又、本発明に於ける当該記憶手段２５は、プログラムを格納するＲＯＭ（Ｒｅａｄ  Ｏｎｌｙ  Ｍｅｍｏｒｙ），作業領域、潜水記録データを格納するＲＡＭ（Ｒａｎｄｏｍ  Ａｃｃｅｓｓ  Ｍｅｍｏｒｙ），ＦＬＡＳＨ  ＲＯＭ等から構成されている。
計測手段２７には、水感知センサー２８、圧力センサー２９、温度センサー３０、深度センサー３１等がそれぞれ外部から接続されており、水感知センサー２８が水を感知すると、ＣＰＵ２１は圧力センサー２９に圧力データの入力を要求する。ＣＰＵ２１は圧力データをバス２４を介して受け取り、深度に換算し、その結果を表示手段５に表示する。潜水中の深度データは一定時間毎に記憶手段２５であるＦＬＡＳＨ  ＲＯＭ等に記録される。
尚、本発明に於いては、水感知センサー２８が水を感知してから一定時間後、ＣＰＵ２１は温度センサー３０に温度データの入力を要求する。演算手段４は温度データをバス２４を介して受け取り、温度に換算し、その結果を表示手段５に表示する。潜水中の温度データは一定時間毎に記憶手段２５であるＦＬＡＳＨ  ＲＯＭ等に記録される。
潜水中、ＦＬＡＳＨ  ＲＯＭ等記憶手段２５に記録された深度及び温度データは、潜水後ログデータとして参照できる。ＤＩ２２からの信号がログデータ表示を示すとき、ＣＰＵ２１は、記憶手段２５から所定の深度及び温度データなどを呼び出し、表示手段５に表示する。記憶手段２５に記憶されたデータを外部に接続したＰＣ等に読み出すときは、通信手段２３を介して行う。
次に図２を用いて、本発明によるダイブコンピュータの機能を説明する。記憶手段２５のＲＯＭは、潜水時に算出して比較する人体の組織内不活性ガス分圧の浮上時における安全限界許容量が予め記憶されているので、安全限界量記憶手段を兼ねている。当該演算手段４は潜水時の深度及び時間データより、人体の組織内不活性ガス分圧を一定時間毎に算出する。当該演算手段４は算出された分圧と、予め安全限界量記憶手段２５に記憶されている安全限界許容量を比較し、計算した結果が許容範囲内であれば、さらに演算手段４は、無減圧限界時間を計算する。
算出された無減圧限界時間は、表示手段５に適宜表示される。ここで、計算した結果が許容範囲外の場合は、当該演算手段４は減圧停止深度と時間を算出し、表示手段５に表示する。
次に、自動的に深度をグラフ表示する機能について説明する。ＣＰＵ２１の管理制御に基づいて、当該演算手段４が算出した分圧と予め安全限界量記憶手段２５に記憶されている安全限界許容量を比較し、計算した結果が許容範囲内であり、かつ、当該演算手段４が圧力センサー２９より得た圧力データから換算した深度が、安全停止グラフ表示範囲であれば、ＣＰＵ２１は表示手段５に安全停止グラフ表示を行う。
当該演算手段４が算出した分圧と予め安全限界量記憶手段２５に記憶されている安全限界許容量を比較し、計算した結果が許容範囲外であり、かつ当該演算手段４が圧力センサー２９より得た圧力データから換算した深度が減圧停止グラフ表示範囲であれば、ＣＰＵ２１は表示手段５に減圧停止グラフ表示を行う。
次に、図３及び４を参照しながら、本発明のダイビングコンピュータ１に於ける基本的な動作を説明する。
即ち、本発明に於けるダイビングコンピュータ１に於いては、水感知センサー２８がＯＮになると、当該圧力センサー２９の情報から演算により深度計測を開始する。深度（ｔ）が１ｍ以上となり、かつ時間が３分以上経過すると、スキューバ潜水モードになり、無減圧限界時間の算出が始まる。安全停止と減圧停止は、それぞれスキューバ潜水の浮上時における停止の種類であり、以下それぞれ分けて説明する。
（安全停止グラフ表示）
スキューバダイビングで深度５ｍ以上になると、安全停止表示可能状態となる。
安全停止表示可能状態で深度５ｍを検出すると安全停止グラフ表示状態となり、グラフ表示を開始する。図３（Ｂ）に、安全停止グラフ表示の例を示す。比較のために、図３（Ａ）に、スキューバダイビング深度表示の例を示す。安全停止グラフ表示状態では、深度３ｍ＜ｔ＜７ｍの間で常にグラフ表示を行う。深度が７ｍ以上になると、安全停止表示可能状態のまま安全停止グラフ表示は終了し、スキューバダイビング深度表示状態となる。深度が３ｍより浅くなると安全停止表示可能状態は解除されスキューバダイビング深度表示状態となる。再び安全停止グラフ表示状態に移行するには深度５ｍ以上に潜り安全停止表示可能状態にならなければならない。ここで、図示上の現在深度グラフ表示はバー状のグラフ表示でも構わない。
深度１ｍ未満を検出し、かつ１０分以上経過すると、スキューバダイビングモードは終了する。
（減圧停止グラフ表示）
減圧潜水で、現在深度が減圧指示深度よりも大きいと、減圧停止グラフ表示可能状態となる。減圧停止グラフ表示可能状態で、減圧指示深度を検出すると減圧停止グラフ表示状態となりグラフ表示を開始する。減圧停止グラフ表示状態では、（減圧停止深度＋１ｍ）＜ｔ＜減圧停止深度−１ｍ）の間で常にグラフ表示を行う。現在深度が減圧停止深度＋１ｍ以上になると、減圧停止グラフ表示可能状態のまま減圧停止指示表示状態となる。現在深度が減圧停止指示深度−１ｍ以下になると、減圧停止グラフ表示可能状態は解除され、減圧指示表示状態となる。
再び減圧停止グラフ表示を始めるには、減圧停止指示深度以上を検出し減圧停止グラフ表示可能状態にならなければならない。図４（Ｂ）に減圧停止グラフ表示の例を示す。比較のために図４（Ａ）に、減圧停止指示表示の例を示す。
本発明に於ける当該ダイビングコンピュータ１で使用する当該グラフ表示手段５は、当該演算手段４により算定された停止深度を当該グラフ表示手段５の第２の機能である安全動作に関する情報の第２の表示領域５３−２に安全停止グラフ表示を行うものであり、当該安全停止グラフの基準線４０を表示すると共に、当該ダイバーの現在及び過去の潜水深度情報を当該基準線４０に対して、時系列的に連続した実線、点線、ドット表示、或いは棒グラフ等を使用してグラフ４１として表示する様に構成されているものである。
即ち、図３（Ｂ）は、安全停止グラフのグラフ表示を示す例であり、図４（Ｂ）は、減圧停止グラフ４１のグラフ表示を示す例である。
更に、本発明に於ける別の具体的としては、例えば、当該基準線４０の少なくとも一方の側に、当該基準線４０と所定の間隔を有して当該基準線４０と平行に許容線４２を表示する様に構成されているもので有っても良く、更には、当該許容線４２は、当該基準線４０と異なる色で表示される事も望ましい。
一方、当該ダイバーの現在及び過去に於ける当該深度が当該基準線４０と当該少なくとも一方の許容線４２との間の許容範囲を超えた場合には、当該グラフ線４１を通常のグラフ線の色とは異なる色で表示する様に構成することも可能である。
又、本発明に於いて、前記停止深度とは、安全停止深度または減圧停止深度のいずれか一方であって、前記グラフ表示手段５は、スキューバダイビング深度表示の後に、所定の深度と現在の深度を比較し、安全停止が必要な場合には安全停止グラフ表示モードに設定される事が特徴となっている。
又、本発明に於いては、前記グラフ表示手段５は、スキューバダイビング深度表示の後に、所定の深度と現在の深度を比較し、減圧停止が必要な場合には減圧停止グラフ表示モードに設定される事が特徴となっている。
更に、本発明に於いては、当該グラフ表示手段５は、当該グラフ表示手段５が安全停止グラフ表示モードに有る場合には、当該基準線４０を含む当該ダイバーの現在及び過去の深度を示すグラフを表示すると同時に、当該ダイバーの現在の深度情報、潜水時間情報、無減圧限界時間情報、及び安全停止深度に留まっていなければならない時間の情報から選択された少なくとも一つの情報をデジタル形式で表示する様に構成されている事が好ましい。
同様に、本発明に於いて、当該グラフ表示手段５は、当該グラフ表示手段５が減圧停止グラフ表示モードに有る場合には、当該基準線４０を含む当該ダイバーの現在及び過去の深度を示すグラフを表示すると同時に、当該ダイバーの現在の深度情報、潜水時間、減圧停止深度情報、及び減圧停止深度に留まっていなければならない時間の情報から選択された少なくとも一つの情報をデジタル形式で表示する様に構成されている事も好ましい具体例である。
図５は、本発明に於ける、スキューバダイビング無減圧潜水時における潜水プロフィールの一例を示す図であり、図５を用いて、本発明に於ける安全停止グラフ表示の具体例について説明する。
図５（Ａ）に於いて、▲１▼の時点では、スキューバダイビングを開始して初めて５ｍを越えたときの状態を表示しており、その時点での当該表示手段５に於ける表示状態は、図５（Ｂ）に示すとおりであり、この段階では、スキューバダイビング深度表示が行われるだけで、グラフ表示はおこなわれていない。
次に、当該ダイバーが７ｍ以上の深度に潜水した後、深度５ｍまで浮上して来た段階▲２▼において、安全停止グラフ表示が開始される。
例えば、当該安全停止グラフ表示期間中の▲３▼の時点での安全停止グラフ表示は、例えば、図５（Ｃ）に示されている。
その後、▲４▼の時点に於いて安全停止グラフ表示が停止され、時刻▲５▼に於いて、ダイバーの深度が３ｍ＜ｔの範囲を超えたとき、その際のグラフ表示手段の表示状態が、図５（Ｄ）に示されている。つまり、この場合には、単に、スキューバダイビング深度表示を行うことになる。
その後、時刻▲６▼に於いて、当該ダイバーの潜水深度が３ｍ以下を検出後、一旦５ｍ以上を検出した時点で再度安全停止表示可能状態となり、その後再び５ｍを検出し時刻▲６▼に於いて、安全停止グラフ表示が開始され、約３分が経過したときの時刻▲７▼における当該グラフ表示手段５の表示状態を図５（Ｅ）に示す。
その後、時刻▲８▼に於いて、安全停止グラフ表示が停止される。
一方、図６は、スキューバダイビング減圧潜水時における潜水プロフィールの一例である。図６を用いて、減圧停止グラフ表示について説明する。
図中、図６（Ｂ）〜図６（Ｅ）は、図６（Ａ）の潜水プロフィールに於ける時刻▲１▼、▲２▼、▲４▼及び▲７▼のその時点での深度に於けるグラフ表示手段５の画面表示を示している。
即ち、時刻▲１▼で、潜水を開始後５分経過したときの深度が５．３ｍである場合の当該グラフ表示手段５の表示状態が図６（Ｂ）に示されている。
この場合は、単に、スキューバダイビング深度表示が行われる。
その後、時刻▲２▼に於いて、減圧潜水の減圧停止指示表示が行われ、その時点での当該グラフ表示手段５の表示状態が図６（Ｃ）に示されている。
次いで、時刻▲３▼に於いて、ダイバーが５ｍの深度に浮上したので、減圧停止（６ｍ１２分）が開始され、時刻▲４▼において、当該減圧停止を行っているときの当該グラフ表示手段５の表示状態が図６（Ｄ）に示されている。
その後、時刻▲５▼に於いて一旦当該減圧停止が中断され、時刻▲６▼に於いて、２回目の減圧停止（３ｍ５分）が開始され、時刻▲７▼における当該グラフ表示手段５の表示状態を図６（Ｅ）に示す。
その後、時刻▲８▼に於いて、減圧停止グラフ表示が停止される。
上記した本発明にかかるダイビングコンピュータ１の操作手順の一例を図７及び図８のフローチャートを参照にしながら説明する。
即ち、本発明に於ける当該ダイビングコンピュータ１の操作方法としては、基本的には、少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータに於いて、
当該深度情報からスキンダイビング深度を表示する工程、
当該スキンダイビング深度表示後、当該時間情報からスキューバダイビング深度を表示る工程、
スキューバダイビング深度表示後、予め定められた潜水時間情報と潜水深度情報から、減圧潜水か否かを判断する工程、
減圧潜水でない場合には、当該ダイバーの現在の潜水深度が予め定められた所定の深度値以上であるか否かを判断する工程、
当該ダイバーの現在の潜水深度が、予め定められた所定の深度値以上である場合には、安全停止情報を示すために、当該表示手段の一部の領域に、当該所定の深度値を基準線とする安全停止情報を示す安全停止グラフを表示する工程、
当該安全停止グラフが表示された後に、当該ダイバーの現在の深度情報が、当該基準線に対して、予め定められた所定の許容範囲を示す深度内にいるか否かを判断し、当該許容範囲内に当該ダイバーがいる場合には、当該安全停止グラフ表示が継続され、当該許容範囲内に当該ダイバーがいない場合には、当該ダイバーの潜水が、減圧潜水か否かを判断する工程に戻る工程
当該減圧潜水か否かを判断する工程に於いて、減圧潜水と判断された場合に、減圧停止指示を表示する工程、
当該ダイバーの現在の潜水深度が、予め定められた所定の減圧深度値である場合には、減圧停止情報を示すために、当該表示手段の一部の領域に、当該所定の減圧深度値を基準線とする減圧停止情報を示す減圧停止グラフを表示する工程、
当該ダイバーの現在の深度と予め定められた所定の減圧指示深度とを比較する工程、
当該減圧停止グラフが表示された後に、当該ダイバーの現在の深度情報が、当該基準線に対して、予め定められた所定の許容範囲を示す深度内にいるか否かを判断する工程、
当該許容範囲内に当該ダイバーがいる場合には、当該ダイバーが、当該減圧指示時間を経過したか否かを判断する工程、
当該ダイバーの潜水時間が、当該減圧指示時間を経過した場合には、当該ダイバーの潜水が、減圧潜水か否かを判断する工程に戻る工程、
とから構成されているダイビングコンピュータの操作方法である。
上記した本発明に於ける当該ダイビングコンピュータ１の操作方法を更に詳細に図７及び図８を参照して説明する。
即ち、スタート後、ステップ（Ｓ−２１）で水感センサーがＯＮの状態となるとステップ（Ｓ−２２）に於いて、深度の計測が開始され、ステップ（Ｓ−２２）に於いて、当該深度ｔが、１ｍかそれより浅いか否かが判断され、ＮＯであれば、ステップ（Ｓ−２２）に戻って上記工程が繰り返され、ＹＥＳである場合には、ステップ（Ｓ−２３）に進んで、スキンダイビング深度表示が開始される。
その後、ステップ（Ｓ−２４）に進み、ダイビング開始から３分間経過したか否かが判断され、ＮＯであればステップ（Ｓ−２３）に戻って、上記した工程が繰り返され、ＹＥＳであれば、ステップ（Ｓ−２５）に進んで、スキューバダイビング深度表示が開始される。
その後、ステップ（Ｓ−２６）に進み、現在のダイバーの潜水情報が減圧潜水であるか否かが判断され、ＹＥＳであれば、ステップ（Ｓ−３４）に進んで、減圧停止指示の表示が実行され、一方、ＮＯであれば、ステップ（Ｓ−２７）に進んで、当該ダイバーの現在の潜水深度ｔが１ｍ未満であるか否かが判断され、ＹＥＳであれば、ステップ（Ｓ−２８）に進み、当該ダイバーの潜水時間が１０分を経過したか否かが判断され、ＮＯであれば、ステップ（Ｓ−２６）に戻って、上記の各工程が繰り返されるが、当該ステップ（Ｓ−２８）でＮＯの場合には、ステップ（Ｓ−２９）に進んで、潜水表示を終了しＥＮＤとなる。
一方、ステップ（Ｓ−２７）で、ＮＯの場合には、ステップ（Ｓ−３０）に進んで、当該ダイバーの現在の潜水深度ｔが５ｍを越えているか否かが判断され、ＮＯであればステップ（Ｓ−２６）に戻って、上記の各工程が繰り返されるがステップ（Ｓ−３０）に於いて、ＹＥＳである場合には、ステップ（Ｓ−３１）に進み、当該（Ｓ−２６）に戻って、上記の各工程が繰り返されるがステップ（Ｓ−３１）に於いて、ＹＥＳである場合には、ステップ（Ｓ−３２）に於いて、安全停止グラフ表示が実行される事になる。
その後、ステップ（Ｓ−３３）に於いて、当該ダイバーの現在の潜水深度ｔが予め定められた許容範囲内で有るか否かが判断される。
例えば、当該許容範囲としては、当該ダイバーの現在の深度ｔに対して３ｍから７ｍの間、つまり、３ｍ・ｔ？７ｍか否かが判断され、ＮＯであればステップ（Ｓ−２６）が、当該ステップ（Ｓ−３３）でＹＥＳの場合には、ステップ（Ｓ−３２）に戻って、上記の各工程が繰り返される。
一方、ステップ（Ｓ−３４）に於いて、減圧停止指示の表示が実行された後に、ステップ（Ｓ−３５）に進んで、現在深度ｔと減圧指示深度ｔｃとの比較が行われ、ｔ＜ｔｃであった場合には、ステップ（Ｓ−３６）に進み、１分経過したかどうかを判断する。
当該ステップ（Ｓ−３６）でＹＥＳであれば、パーマネントエラー表示が行われ、その後、ステップ（Ｓ−３８）に進み、当該ダイバーの現在の潜水深度ｔが、１ｍ以下未満であるか否かが判断され、ＮＯであれば、ステップ（Ｓ−３８）に戻って、上記した工程が繰り返され、ＹＥＳであれば、ステップ（Ｓ−３９）に進み、当該ダイバーの潜水時間が深度１ｍ未満を検出後、１０分を経過したか否かが判断され、ＮＯであれば、ステップ（Ｓ−３８）に戻って上記した工程が繰り返され、ＹＥＳであれば、ステップ（Ｓ−４０）に進んで潜水表示操作を終了してＥＮＤとなる。
一方、ステップ（Ｓ−３５）に於いて、ＮＯである場合には、ステップ（Ｓ−４１）に進んで、当該ダイバーの現在の潜水深度ｔが減圧指示深度ｔｃに一致しているか否かが判断され、ＮＯであれば、ステップ（Ｓ−３４）に戻って上記した工程が繰り返され、ＹＥＳであれば、ステップ（Ｓ−４２）に進んで減圧停止グラフ表示が行われる。
次いで、ステップ（Ｓ−４３）に進んで、当該ダイバーの現在の潜水深度ｔが、予め定められた許容範囲内で有るか否かが判断される。
例えば、当該許容範囲としては、当該ダイバーの現在の深度ｔに対して減圧指示深度ｔｃに対して±１ｍの間、つまり、ｔｃ―１ｍ・ｔ？ｔｃ＋１ｍか否かが判断され、ＮＯであればステップ（Ｓ−３４）に戻って、上記の各工程が繰り返されるが、当該ステップ（Ｓ−４３）でＹＥＳの場合には、ステップ（Ｓ−４４）に進んで、減圧指示時間が経過したか否かが判断され、ＮＯであればステップ（Ｓ−４２）に戻って、上記の各工程が繰り返されるが、当該ステップ（Ｓ−４４）でＹＥＳの場合には、ステップ（Ｓ−２６）に戻って、上記の各工程が繰り返される。
本発明に於ける別の態様としては、少なくとも潜水時間を計時する計時手段と、潜水情報を計測する計測手段と、当該計測手段から得られた潜水情報を処理する演算手段と、当該演算手段で得られた潜水情報を表示するための表示手段を有するダイビングコンピュータに於いて、
当該深度情報からスキンダイビング深度を表示する工程、
当該スキンダイビング深度表示後、当該時間情報からスキューバダイビング深度を表示する工程、
スキューバダイビング深度表示後、予め定められた潜水時間情報と潜水深度情報から、減圧潜水か否かを判断する工程、
減圧潜水でない場合には、当該ダイバーの現在の潜水深度が予め定められた所定の深度値以上であるか否かを判断する工程、
当該ダイバーの現在の潜水深度が、予め定められた所定の深度値以上である場合には、安全停止情報を示すために、当該表示手段の一部の領域に、当該所定の深度値を基準線とする安全停止情報を示す安全停止グラフを表示する工程、
当該安全停止グラフが表示された後に、当該ダイバーの現在の深度情報が、当該基準線に対して、予め定められた所定の許容範囲を示す深度内にいるか否かを判断し、当該許容範囲内に当該ダイバーがいる場合には、当該安全停止グラフ表示が継続され、当該許容範囲内に当該ダイバーがいない場合には、当該ダイバーの潜水が、減圧潜水か否かを判断する工程に戻る工程
当該減圧潜水か否かを判断する工程に於いて、減圧潜水と判断された場合には、減圧停止指示を表示する工程、
当該ダイバーの現在の潜水深度が、予め定められた所定の減圧深度値である場合には、減圧停止情報を示すために、当該表示手段の一部の領域に、当該所定の減圧深度値を基準線とする減圧停止情報を示す減圧停止グラフを表示する工程、
当該ダイバーの現在の深度と予め定められた所定の減圧指示深度とを比較する工程、
当該減圧停止グラフが表示された後に、当該ダイバーの現在の深度情報が、当該基準線に対して、予め定められた所定の許容範囲を示す深度内にいるか否かを判断する工程、
当該許容範囲内に当該ダイバーがいる場合には、当該ダイバーが、当該減圧指示時間を経過したか否かを判断する工程、
当該ダイバーの潜水時間が、当該減圧指示時間を経過した場合には、当該ダイバーの潜水が、減圧潜水か否かを判断する工程に戻る工程、
とから構成されているダイビングコンピュータの操作方法をコンピュータに実行させるためのプログラムである。
本発明では、無減圧潜水時の安全停止中の深度表示、および減圧潜水時の減圧停止深度表示を自動的にグラフ表示する機能を備える。所定時間停止していなければならない深度をデジタル表示のみならず、グラフ表示することで、ダイバーにとってよりわかりやすい表示を提供できる。
【図面の簡単な説明】
第１図は本発明にかかるダイビングコンピュータの一具体例の構成を説明するブロックダイアグラムである。
第２図は、本発明によるダイビングコンピュータを構成する回路ブロック図の一例を示す図である。
第３図（Ａ）はスキューバダイビング深度表示の一例であり、第３図（Ｂ）は本発明に於ける安全停止グラフ表示の一例である。
第４図（Ａ）は、減圧停止指示表示の一例であり、第４図（Ｂ）は、本発明に於ける減圧停止グラフ表示の一例である。
第５図は本発明に於ける安全停止グラフ表示方法の一例を説明する図である。
第６図は本発明に於ける減圧停止グラフ表示方法の一例を説明する図である。
第７図及び第８図は、本発明に於けるダイビングコンピュータの操作方法の手順の一例を説明するフローチャートである。
第９図は、従来のダイビングコンピュータの具体例を説明する図である。
【図１】
2002076820.tif 000003
【図２】
2002076820.tif 000004
【図３】
2002076820.tif 000005
【図４】
2002076820.tif 000006
【図５】
2002076820.tif 000007
【図６】
2002076820.tif 000008
【図７】
2002076820.tif 000009
【図８】
2002076820.tif 000010
【図９】
2002076820.tif 000011
【国際調査報告】
2002076820.tif 000012
2002076820.tif 000013